【手続補正書】
【提出日】平成17年9月9日(2005.9.9)
【手続補正１】
【補正対象書類名】明細書
【補正対象項目名】特許請求の範囲
【補正方法】変更
【補正の内容】
【特許請求の範囲】
【請求項１】  電源から中空解剖構造体にエネルギーを付与するための装置であって、
遠位先端を有し、該遠位先端にオリフィスを形成した作動端を有するカテーテルと、
作動端に配置され、各々絶縁されてない遠位端を有する遠位部分を有し、電源に電気的に接続された複数のリード線と、
リード線を遠位オリフィスを通して延ばすための手段と、
リード線が延ばされたときリード線を外方に拡張させるための手段と、を含み、
リード線は、遠位オリフィスの外に延ばされたとき互に遠ざけられて解剖構造体と接触する、前記装置。
【請求項２】  リード線は、遠位オリフィスを通して延ばされたとき、リード線
の遠位部分が互に遠ざかって実質的に等間隔をなした遠位端のほぼ対称配列をなすよに作動端と関係して配置される、請求項１に記載の装置。
【請求項３】  リード線は、リード線が遠位オリフィスを通して延ばされるとき互に向かい合った２つの遠位端が作動端の直径よりも大きいように作動端と関係して配送される、請求項２に記載の装置。
【請求項４】  各リード線の遠位端は、絶縁されていない丸い凸面を有する半球形状を含み、半球形状の残部は絶縁されている、請求項１に記載の装置。
【請求項５】  リード線は遠位端に片持ちばり構造をなして設けられている、請求項４に記載の装置。
【請求項６】  延ばす手段は導電性リングを含み、リード線の少くとも１つはリングに接続され、導電性リングは電源に接続される、請求項１に記載の装置。
【請求項７】  拡張手段は、各リード線が他のリード線から外方に遠ざかる傾向があるように各リード線に形成された曲がりを含む請求項１に記載の装置。
【請求項８】  拡張装置手段は、各リード線について９０度よりも小さい角度で形成された曲がりを含む、請求項７に記載の装置。
【請求項９】  各リード線はカテーテルと関係して設けられた矩形断面を有し、矩形断面の薄い方の寸法形状がリード線の拡張方向と整合している、請求項１に記載の装置。
【請求項１０】  延ばす手段に接続された二次リード線を更に含み、二次リード線は、遠位端を有し、且つ該二次リード線の遠位端がリード線の遠位端を越えて延びるような長さを有し、延ばす手段はリード線及び二次リード線を遠位オリフィスを通して延ばす、請求項１に記載の装置。
【請求項１１】  二次リード線の遠位端に設けられた球形形状の電極を更に含む請求項１０に記載の装置。
【請求項１２】  リード線及び二次リード線への電源の出力を制御するためのコントローラを更に含み、
コントローラは、リード線の遠位端の電気極性を共通の極性に切り換え、又二次リード線の極性をリード線の極性と反対の極性に切り換えるようになっている、請求項１０に記載の装置。
【請求項１３】  二次リード線はリード線に対して中心に置かれる、請求項１０に記載の装置。
【請求項１４】  二次リード線はガイドワイヤを受け入れるためのガイドワイヤ管腔を含む、請求項１０に記載の装置。
【請求項１５】  延ばす手段はカテーテルに設けられ、移動できる外側シースと、外側シース内に位置決めされ、リード線間の分離を維持する整列装置と、を含み、
整列装置と関係して外側シースを移動させることによりリード線をオリフィスを通して延ばす請求項１に記載の装置。
【請求項１６】  延ばす手段は、カテーテルに設けられた外側シースと、
外側シース内に位置決めされた整列装置とを、含み、リード線は、整列装置がリード線間の分離を維持するように整列装置に取付けられ、
リード線を取付ける可動の内側シースを有し、該内側シースは外側シースと関係して移動でき、
外側シースと関係して内側シースを移動させることによりリード線をオリフィスを通して延ばす、請求項１に記載の装置。
【請求項１７】  電源に接続されたスイッチを更に含み、リード線は電源に電気的に接続されるようになっており、リード線の極性はスイッチによって選択的に変えられる請求項１に記載の装置。
【請求項１８】  電源を制御するコントローラと、リード線の遠位端に設けられ、コントローラに温度信号を与える温度センサーと、を更に含み、
コントローラは温度センサーからの信号に応答して電源を制御する、請求項１に記載の装置。
【請求項１９】  電源から中空解剖構造体にエネルギーを付与するための装置であって、
遠位先端を有し、該遠位先端にオリフィスを形成した作動端を有するカテーテルと、
作動端に配置され、各々絶縁されていない遠位端を有する遠位部分を有し、電源に電気的に接続され、近位端が片持ちばり構造をなして作動端に設けられた複数のリード線と、
リード線を遠位オリフィスを通して延ばす手段と、を含み、
各リード線は、リード線がオリフィスを通して延ばされたとき、リード線が互に外方に遠ざかって実質的に等間隔をなした遠位端のほぼ対称的な配列を形成するようにリード線に形成された曲がりを含む、前記装置。
【請求項２０】  各リード線はその遠位端に設けられた電極を含み、電極は半球形状を有する、請求項１９に記載の装置。
【請求項２１】  各リード線はその遠位端に電極を含み、電極は球形形状を有する、請求項１９に記載の装置。
【請求項２２】  各リード線はカテーテルと関係して設けられた矩形断面を有し、矩形断面の薄い方の寸法形状がリード線の拡張方向と整合している、請求項１９に記載の装置。
【請求項２３】  作動端に設けられた二次リード線を更に含み、二次リード線は遠位端を有し、且つリード線の長さを越る長さを有し、又二次リード線を遠位オリフィスを通して延ばすための延ばす手段を含む、請求項１９に記載の装置。
【請求項２４】  二次リード線の遠位端に設けられた球形形状の電極を更に含む、請求項２３に記載の装置。
【請求項２５】  リード線及び二次リード線の電極への電源の出力を制御するコントローラを更に含み、コントローラはリード線の遠位端の電気極性を共通の極性に切り換え、且つ二次リード線の極性をリード線の極性と反対の極性に切り換えるようになっている、請求項２３に記載の装置。
【請求項２６】  二次リード線はリード線に対して中心に置かれる、請求項２３に記載の装置。
【請求項２７】  解剖構造体を傑作するためにエネルギーを配送するための装置であって、シース、作動端、及び作動端に形成された開口部を有するカテーテルと、シース内に配置された内側部材と、各々遠位端を有する複数のリード線と、を有し、内側部材とシースは互いに対して移動させることができ、複数のリード線は、シースの位置が１方向において内側部材に対して変化するとき、複数のリード線の遠位端がカテーテルの作動端の開口部の外に延びるように内側部材と結合され、各リード線は、複数のリード線が開口部の外に延ばされるとき、遠位端をシースによって定められた長手方向軸線から遠ざけられるように形成されており、リード線の遠位端は解剖構造体にエネルギーを配送するように形成されている、前記装置。
【請求項２８】  カテーテルの作動端から遠方に位置する作動機構を更に含み、該作動機構は、オペレータがシースと内側部材の互いに対する移動を手動で制御するようにシース及び内側部材に結合されている、請求項２７に記載の装置。
【請求項２９】  作動機構は、内側部材がシースが内側部材に対して移動されるようにシースに結合される、請求項２８に記載の装置。
【請求項３０】  作動機構は、内側部材がシースに対して移動されるように内側部材に結合される、請求項２８に記載の装置。
【請求項３１】  解剖構造体は静脈であり、リード線は静脈壁と並置して移動するのに十分な力を有するように形成され、形成されたリード線はエネルギーがリード線の遠位端によって付与されたとき、静脈の直径の減少を防止するに十分な強さを有していない、請求項２７に記載の装置。
【請求項３２】  二次遠位端を有する二次リード線を更に含み、二次リード線は内側部材の位置がシースに対して一方向に変化するとき該二次リード線の二次遠位端がカテーテルの作動端の開口部の外に延ばされるように内側部材に取付けられ、リード線の遠位端は二次リード線の二次遠位端と内側部材との間に置かれる、請求項２７に記載の装置。
【請求項３３】  リード線は、各リード線の極性を切り換えることができるように電源に電気的に接続される、請求項３２に記載の装置。
【請求項３４】  複数のリード線及び二次リード線は、複数のリード線の極性を二次リード線の極性と無関係に変えることができるように電源に電気的に接続される請求項３２に記載の装置。
【請求項３５】  複数のリード線及び二次リード線は電源に電気的に接続され、複数のリード線の極性は、同じ極性を有するように、或いは、リード線の隣接した遠位端に対して反対の極性を有するように切り換えることができ、二次リード線の極性は、極性を有することと中立であることの間で切り換えることができる、請求項３２に記載の装置。
【請求項３６】  二次遠位端はカテーテルの作動端の開口部の寸法とほぼ等しい横断面を有するほぼ球形形状を含む、請求項３２に記載の装置。
【請求項３７】  リード線の遠位端は、該遠位端をシースによって定められた前手方向軸線の方に移動させるとき、二次遠位端の寸法よりも大きくない横断面を有する形状を形成するように構成されている、請求項３２に記載の装置。
【請求項３８】  リード線の遠位端は、該遠位端をシースによって定められた前手方向軸線の方に移動させるとき、二次遠位端の寸法よりも大きくない横断面を有する形状を、二次リード線と組み合わせて、形成するように構成されている、請求項３２に記載の装置。
【請求項３９】  二次リード線は、二次管腔と、二次遠位端に形成された二次開口部とを含み、二次開口部は二次管腔と流体連通している、請求項３２に記載の装置。
【請求項４０】  二次管腔は、ガイドロイヤを受け入れるように構成されている、請求項３９に記載の装置。
【請求項４１】  各リード線の遠位端は、絶縁されていない丸い凸面を含む請求項３２に記載の装置。
【請求項４２】  温度センサーが複数のリード線の遠位端の少なくとも１つに置かれている、請求項２７に記載の装置。
【請求項４３】  リード線の遠位端は、シースによって定められる前手方向軸線と垂直な平面を閉めるように配列される、請求項２７に記載の装置。
【請求項４４】  リード線の遠位端は、遠位端をシースによって定められる前手方向軸線の方に移動させるときほぼ球形形状を形成するように構成されている、請求項２７に記載の装置。
【請求項４５】  カテーテルの作動端は柔らかいデュロメータを有する先端を含み、開口部が先端に形成されている、請求項２７に記載の装置。
【請求項４６】  リード線は、各リード線の極性を切り換えることができるように電源に電気的に接続される、請求項２７に記載の装置。
【請求項４７】  リード線は、各リード線の極性が同じであるように電源に電気的に接続される、請求項４６に記載の装置。
【請求項４８】  リード線は、複数のリード線のうちの第１のリード線の極性が第１のリードの遠位端に隣接した遠位端をもったリード線と反対であるように電源に電気的に接続される請求項４６に記載の装置。
【請求項４９】  リングが内側部材に取り付けられ、複数のリード線のうちの少なくとも1つのリード線はリングに接続される、請求項２７に記載の装置。
【請求項５０】  リングは導体であり、１つのリード線の遠位端が解剖構造体を結紮すべくエネルギーを配送するように電源に電気的に接続される請求項３９に記載の装置。
【請求項５１】  中立解剖構造体を結紮する装置であって、
シース及び作動端に先端ポートを有し、作動端に先端ポート及び開口部が位置し、ポートが管腔と流体連通しているカテーテルと、
カテーテルの作動端に位置したバルーンと、を含み、ポートがバルーンと先端との間に位置し、
シース内に配置された内側部材を含み、内側部材とシースは互いに対して移動させることができ、
各々、遠位端を有する複数のリード線を含み、複数のリード線は、シースを内側部材に対して移動させるとき、複数のリード線の遠位端がカテーテルの作動端の開口部の外に延ばされるようになるように内側部材と結合され、各リード線は、複数のリード線が開口の外に延ばされるとき、遠位端を、シースによって定められた前手方向軸線から遠ざけるように形成され、
各リード線の遠位端は解剖構造体にエネルギーを配送することができる、前記装置。
【請求項５２】  解剖構造体は静脈であり、リード線は静脈壁と並置して移動するのに十分な力を有するように形成され、形成されたリード線はエネルギーがリード線の遠位端によって付与されたとき、静脈の直径の減少を防止する程の強さを有していない、請求項５１に記載の装置。
【請求項５３】  二次遠位端を有する二次リード線を更に含み、二次リード線は、内側部材をシースに対して移動させるとき、二次リード線の二次遠位端がカテーテルの作動端の開口部の外に延ばされるように内側部材と結合され、リード線の遠位端は二次リード線の二次遠位端と内側部材との間に置かれる、請求項５１に記載の装置。
【請求項５４】  リード線は、各リード線の極性を切り換えることができるように電源に電気的に接続される、請求項５３に記載の装置。
【請求項５５】  複数のリード線及び二次リード線は、複数のリード線の極性を二次リード線の極性と無関係に変えることができるように電源に電気的に接続される請求項５３に記載の装置。
【請求項５６】  複数のリード線及び二次リード線は電源に電気的に接続され、複数のリード線の極性は、同じ極性を有するように、或いは、リード線の隣接した遠位端に対して反対の極性を有するように切り換えることができ、二次リード線の極性は、極性を有することと中立であることの間で切り換えることができる、請求項５３に記載の装置。
【請求項５７】  バルーンは解剖構造体内の流体にさらされた開口部を含み、この開口部により、中空解剖構造体からの流体をバルーンに流入させてこれを拡張させる、請求項５３に記載の装置。
【請求項５８】  中立解剖構造体を結紮する装置であって、
シース及び作動端に先端ポートを有し、作動端に先端ポート及び開口部が位置し、ポートが管腔と流体連通しているカテーテルと、
カテーテルの作動端に位置したバルーンと、を含み、ポートがバルーンと先端との間に位置し、
各々、部分を有し、該部分をカテーテルから解剖構造体に向って移動させることができる複数の弓のように曲るアームと、
少くとも１つが少くとも１つのアームの前記部分に位置する複数の電極と、を含み、
電極が解剖構造体にエネルギーを配送することができる、前記装置。
【請求項５９】  バルーンは解剖構造体内の流体にさらされた開口部を含み、この開口部により、中空解剖構造体からの流体をバルーンに流入させてこれを拡張させる、請求項５８に記載の装置。
【請求項６０】  解剖構造体は静脈であり、リード線は静脈壁と並置して移動するのに十分な力を有するように形成され、形成されたリード線はエネルギーがリード線の遠位端によって付与されたとき、静脈の直径の減少を防止するに十分な強さを有していない、請求項５８に記載の装置。
【請求項６１】  流体の配送を可能にするためカテーテルの作動端に形成された少くとも１つの孔を更に含む請求項５８に記載の装置。
【請求項６２】  流体は高インピーダンスを有する、請求項６１に記載の装置。
【請求項６３】  流体はヘパリン及び水を含む、請求項６１に記載の装置。
【請求項６４】  中空解剖構造体を結紮する装置であって、シース、作動端及び作動端に位置した開口部を有するカテーテルと、
シース内に配置された内側部材と、を有し、内側部材とシースは互いに対して移動させることができ、
各々、遠位端を有する複数のリード線を含み、複数のリード線は、内側部材をシースに対して移動させたとき、複数のリード線の遠位端がカテーテルの作動端の開口部の外に延ばされるようになるように内側部材と結合され、各リード線は、複数のリード線が開口部の外に延ばされるとき、遠位端をシースによって定められる長手方向軸線から遠ざけるように形成され、各リード線の遠位端は解剖構造体にエネルギーを付与することができ、
リード線が開口部の外に延ばされるとき、カテーテルの円周に沿うリード線間の領域に及ぶ可撓性で不透過性おおいを含み、おおいは中空解剖構造体内の流体流れを遮えぎる、前記装置。
【請求項６５】  流体の配送を可能にするためにカテーテルの作動端に形成された少くとも１つの孔を更に含む、請求項６４に記載の装置。
【請求項６６】  流体は高インピーダンスを有する、請求項６５に記載の装置。
【請求項６７】  流体はヘパリン及び水を含む、請求項６５に記載の装置。
【請求項６８】  解剖構造体は静脈であり、リード線は静脈壁と並置して移動するのに十分な力を有するように形成され、形成されたリード線はエネルギーがリード線の遠位端によって付与されたとき、静脈の直径の減少を防止するに十分な強さを有していない、請求項６４に記載の装置。